(57)【特許請求の範囲】
【請求項１】
本体部と、
本体部の一端側に設けられ、使用者の肩口を覆う肩口部とを有し、
前記肩口部は表裏二層構造とされ、それぞれキルト線によって複数に区分された各区画に充填物が充填され、
表側の層は、使用者の首部分を覆う幅方向中心部を中心として横長に広がる横長キルト線と、前記横長キルト線から前記使用者の足元部側に向けて両側に広がる斜め方向キルト線と、によって区画され、
使用者を覆う前記裏側の層は、前記掛け布団の幅方向に間隔を隔てて複数の縦方向キルト線が形成されることによって前記幅方向に複数の区画が形成され、前記幅方向中央部の区画はその両側の他の区画に比較して充填物の充填量が少なく表側に凹部をなすよう形成されていることを特徴とする掛け布団。
【請求項２】
前記横長キルト線は、その両端部が、前記肩口部の上辺において、その中央部を挟んだ両側に間隔を隔てて位置し、その幅方向中央部が、前記両端部に対して前記本体部側に位置するよう、円弧状に湾曲形成されていることを特徴とする請求項１に記載の掛け布団。
【請求項３】
前記本体部は、一層構造であることを特徴とする請求項１または２に記載の掛け布団。
【請求項４】
前記本体部は、その幅方向中央部に、幅方向に連続する本体中央部キルト線が、本体部の長さ方向に間隔を隔てて形成され、前記本体中央部キルト線は、幅方向両側の端部に対し、幅方向中央部が、前記肩口部とは反対側方向に位置するよう円弧状に湾曲形成されていることを特徴とする請求項１から３のいずれか一項に記載の掛け布団。
【請求項５】
前記本体部の幅方向両側部に、前記本体中央部キルト線の端部から、肩口部とは反対側に向けて斜めに延びる本体両側部キルト線による区画が形成されていることを特徴とする請求項４に記載の掛け布団。
【請求項６】
前記本体部において、前記肩口部とは反対側の端部には、幅方向両端部に最下部キルト線が形成され、これら前記最下部キルト線間に横長の区画が形成されていることを特徴とする請求項１から５のいずれか一項に記載の掛け布団。
【発明の詳細な説明】
【技術分野】
【０００１】
本発明は、羽毛等が充填される掛け布団に関する。
【背景技術】
【０００２】
従来の一般的な掛けふとんとしては、上下の生地間に羽毛を所定量内包したものがある。この羽毛掛けふとんは、使用者の体温の発散を防止して保温性に優れるとともに、弾力性および使用の際の肌触りにも優れる。さらに、上下の生地間に内包された羽毛の片寄りを防ぐため、上下の生地間が複数の縫い目または縫合部であるキルト線によって複数の区画室に区分され、各区画室に羽毛が充填されてなるキルティングの構成が多用されている。
【０００３】
しかし、使用者が羽毛掛けふとんを掛けた状態では、使用者の首・肩周りと、羽毛掛けふとんと、敷きふとんとの間に隙間が開いてしまい、保温性が損なわれてしまうという問題がある。
これに対し、羽毛掛けふとんを使用者の首・肩周りに密着しやすくするための工夫をこらした発明が例えば特許文献１〜４によって提案されている。
【０００４】
例えば、特許文献１には、掛け布団において、就寝者の上に掛ける掛け部よりも、その両側部における充填材の密度を相対的に高くした構成が開示されている。
また、特許文献２には、掛け布団の襟元部の中央部に、掛け布団の幅の１／２以上の幅を有する広幅区画室を形成し、広幅区画室内に複数の充填材入り袋体を設けた構成が開示されている。
特許文献３には、掛け布団の肩口側を２層構造とし、表面と裏面とでキルティングの寸法を異にした構成が開示されている。
特許文献４には、掛け布団の肩口覆い部を、掛け布団本体よりも布団用詰め物の充填量を多くした構成が開示されている。
【先行技術文献】
【特許文献】
【０００５】
【特許文献１】特開２００５−２０４８３８号公報
【特許文献２】特開２００３−３３９５００号公報
【特許文献３】実用新案登録第３０７５０８０号公報
【特許文献４】実開平７−７５６７号公報
【発明の概要】
【発明が解決しようとする課題】
【０００６】
しかしながら、特許文献１〜４に記載の技術においても、保温性をより一層高めるという観点では必ずしも十分ではなく、依然として改善の余地がある。
本発明は、このような課題に鑑みて、保温性をより一層高めることのできる掛け布団を提供することを目的とする。
【課題を解決するための手段】
【０００７】
本発明は、上記課題を解決するため、以下の手段を採用する。
すなわち、本発明の掛け布団は、本体部と、本体部の一端側に設けられ、使用者の肩口を覆う肩口部とを有し、肩口部は表裏二層構造とされ、それぞれキルト線によって複数に区分された各区画に充填物が充填され、表側の層は、使用者の首部分を覆う幅方向中心部を中心として横長に広がる横長キルト線と、横長キルト線から本体部側に向けて両側に広がる斜め方向キルト線と、によって区画され、使用者を覆う裏側の層は、掛け布団の幅方向に間隔を隔てて複数の縦方向キルト線が形成されることによって幅方向に複数の区画が形成され、これら幅方向中央部の区画は、その両側の他の区画に比較して充填物の充填量が少なく表側に凹部をなすように形成されていることを特徴とする。
このような掛け布団においては、使用者の進退を覆う裏側の層では、幅方向中央部の区画が、その両側の他の区画に比較して充填物の充填量が少なく表側に凹部をなすため、使用者の首にフィットしやすく首及び肩口と掛け布団の裏面とが隙間なく密接する。そして、裏側に対向する表側においては、横長キルト線、斜め方向キルト線により区画することで、肩口部が使用者の肩部の形状に沿って倣いやすく、掛け布団の使用者に対する裏面のフィット性を高めることができる。また、横長キルト線により表側の層に、使用者の首部分を覆う裏面の幅方向中心部の区画を中心として横長に広がる略放射状の区画が重なるため、使用者の首回りや掛け布団との間に隙間が生じにくい。さらに、この横長に広がる区画に充填された羽毛等の充填物が平らになりやすく、掛け布団の肩口部が使用者の顎の下や肩の下に入り込み、表地側の層が使用者の首に沿う裏地側の幅方向中央部の区画を中心として覆い易い形状となるため、使用者の首や肩を挟む裏地と敷き布団との間の隙間を一層なくすことができる。
【０００８】
ここで、横長キルト線は、その両端部が、肩口部の上辺において、その中央部を挟んだ両側に間隔を隔てて位置し、その幅方向中央部が、両端部に対して本体部側に位置するよう、円弧状に湾曲形成するのが好ましい。
これによって使用者の首を囲う裏面の幅方向中央部凹部の区画の周囲を、横長キルト線の区画によって表側から覆うことで、肩部分の掛け布団と敷き布団との隙間を低減できる。
【０００９】
また、本体部は、一層構造とするのが好ましい。
本体部によって使用者の胴部や脚部が全て覆われるために一層構造で十分身体を覆うことができる。
そして、本体部は、その幅方向中央部に、幅方向に連続する本体中央部キルト線による区画が、本体部の長さ方向に間隔を隔てて形成され、本体中央部キルト線は、幅方向両側の端部に対し、幅方向中央部が、肩口部とは反対側方向に位置するよう円弧状に湾曲形成するのが好ましい。
これにより、使用者が掛け布団を掛けた状態で、使用者の身体によって掛け布団の本体部の幅方向中央部が上方に盛り上がったときに、本体中央部キルト線による区画によって使用者の身体にフィットしやすくなる。
【００１０】
また、本体部の幅方向両側部に、本体中央部キルト線の端部から、肩口部とは反対側に向けて斜めに延びる本体両側部キルト線による区画を形成するのが好ましい。これにより、掛け布団の本体部の幅方向両側部を、敷布団にフィットしやすくする。
さらに、本体部において、肩口部とは反対側には、幅方向両端部に最下部キルト線が形成され、これら最下部キルト線間に横長の区画が形成されているのが好ましい。
このような最下部キルト線によって仕切る横長の区画により、使用者の足下と敷布団との間に隙間が形成されるのを防ぐ。
【発明の効果】
【００１１】
本発明による掛け布団によれば、その肩口部の表裏二層について、特に使用者の首や肩口にフィットするように裏面側に複数の縦方向キルト線による複数の区画が形成され、その幅方向中央部の区画は充填物の充填量が少なく表側に凹部をなすように形成したから、使用者の首へのフィットが良く隙間をなくし、しかも表側では横長キルト線による区画と横長キルト線から斜め方向キルト線による複数の区画とによって裏面側の区画を押さえて肩口を覆って密着するようにしたから、肩口の隙間を生じさせず、保温性をより一層高めることができる。
【図面の簡単な説明】
【００１２】
【図１】掛け布団を示す図であり、（ａ）は、（ｂ）のＢ−Ｂ断面図、（ｂ）は掛け布団を裏側（使用者側）から見た平面図、（ｃ）は（ｂ）のＡ−Ａ断面図である。
【図２】掛け布団を表側から見た平面図である。
【図３】掛け布団の肩口部を示す斜視図である。
【図４】（ａ）は掛け布団の肩口部を使用者の頭側から見た図、（ｂ）は掛け布団を使用者に掛けた状態の頭側から見た斜視図である。
【発明を実施するための形態】
【００１３】
以下、添付図面を参照して、本発明による掛け布団を実施するための最良の形態を説明する。しかし、本発明はこれらの実施例のみに限定されるものではない。
図１〜図３に示すように、掛け布団１０は、平面視略長方形で、本体部２０と、本体部２０の一端に設けられた肩口部３０とを備える。この掛け布団１０は、本体部２０と肩口部３０とが、表地２１と裏地２２との間を縫い目または縫合部からなるキルト線で仕切った多数の区画に羽毛や綿等、図示しない詰め物が各区画毎に充填されたキルティングを構成している。
この掛け布団１０は、使用者に掛けた状態で、本体部２０が使用者の身体の胸部や腹部から下肢全体を覆い、肩口部３０が使用者の肩口や襟元を覆う。
【００１４】
本体部２０において、その幅方向中央部は、表地２１、裏地２２の間に、幅方向に連続する本体中央部キルト線２３が、本体部２０の長さ方向（幅方向に直交する方向）に間隔を隔てて複数形成されてそれぞれ区画を仕切っている。ここで、本体中央部キルト線２３は、幅方向両側の端部２３ａ、２３ａに対し、幅方向中央部２３ｂが、肩口部３０とは反対側（使用者の足下方向）の端部に位置するよう、円弧状に湾曲形成されている。これは、使用者が掛け布団１０を掛けた状態で、使用者の身体によって掛け布団１０の本体部２０の中央部が上方に盛り上がったときに、使用者の身体にフィットさせ隙間をなくすためである。
【００１５】
また、本体部２０の幅方向両側部は、表地２１、裏地２２の間に、本体中央部キルト線２３の端部２３ａから、肩口部３０とは反対側に向けて斜めに延びる本体両側部キルト線２４が形成されて区画が仕切られている。これは、掛け布団１０の本体部２０の幅方向両側部を、敷布団にフィットしやすくすることで敷布団との間に隙間を形成せず、熱を逃がさないようにするためである。
【００１６】
本体部２０において、肩口部３０とは反対側の端部には、最下部の本体中央部キルト線２３の端部２３ａ、２３ａから本体部２０の角部に向けて延びる足元両角部キルト線２５、２５が形成されている。これにより、本体部２０において、肩口部３０とは反対側の端部に、足元両角部キルト線２５、２５の間に、キルト線の無い幅広の区画である足元部２６が形成されている。このような幅広の足元部２６により、キルト線によって敷布団との間に隙間が形成されるのを防ぎ、保温性を高めている。
【００１７】
肩口部３０は、表地３１と裏地３２との間に、中間地３３が設けられて表裏二層に区分されている。
肩口部３０の表地３１と中間地３３との間には、肩口部３０の幅方向に連続する横長キルト線３４が形成されて区画されている。横長キルト線３４は、その両端部３４ａ、３４ａが、肩口部３０の上辺３０ａにおいて、その中央部を挟んだ両側に間隔を隔てて位置し、幅方向中央部３４ｂは、両端部３４ａ、３４ａに対して本体部２０側に位置するよう、円弧状に湾曲形成されている。
【００１８】
また、肩口部３０の幅方向中央部には、横長キルト線３４から本体部２０に向けて、幅方向に直交する掛け布団１０の長さ方向に連続する縦方向キルト線３５が、掛け布団１０の幅方向に間隔を隔てて複数形成されて区画されている。
また、肩口部３０の幅方向両側には、横長キルト線３４から肩口部３０の側辺３０ｂ、３０ｂに向けて斜めに延びる斜め方向キルト線３６が形成されて区画されている。
【００１９】
一方、肩口部３０において、使用者側の布地である裏地３２と中間地３３との間には、掛け布団１０の長さ方向（長辺方向）に連続する縦方向キルト線３８が、掛け布団１０の幅方向に間隔を隔てて複数形成されて区画されている。
これら縦方向キルト線３８によって、肩口部３０において、裏地３２と中間地３３との間には、複数の区画Ｓ１、Ｓ２、…が形成されている（例えば本実施形態では、７個の区画Ｓ１〜Ｓ７）。そして、肩口部３０の中央部の区画Ｓ４は、その両側の他の区画Ｓ１〜Ｓ３、Ｓ５〜Ｓ７に比較し、羽毛等の充填物の充填量が少なく設定されている。ここで、区画Ｓ４には、羽毛等の充填物を充填しない構成とすることもできる。これによって区画４の裏地３２は中間地３３方向に湾曲する凹部が形成される（図１（ａ）参照）
【００２０】
上述したような構成によれば、肩口部３０を表裏２層構造としたので、本体部２０よりも多くの充填物を充填することができ、襟元や肩口における保温性を高めることができる。
また、肩口部３０において裏地３２側を、幅方向に複数の区画Ｓ１〜Ｓ７に区分し、中央部の区画Ｓ４は、その両側の他の区画Ｓ１〜Ｓ３、Ｓ５〜Ｓ７に比較し、羽毛等の充填物の充填量を少なく凹部に形成した。これにより、図４に示すように、使用者が首回りを区画Ｓ４に位置させると、その両側の区画Ｓ１〜Ｓ３、Ｓ５〜Ｓ７の充填物の重量により、肩口部３０が使用者の首に沿い、襟元、肩口の隙間を小さくするとともに、その両側でも敷布団との隙間が生じるのを防ぐことができる。
【００２１】
さらに、肩口部３０において表地３１側には、円弧状の横長キルト線３４が形成されているので、横長の大きな区画Ｓ１０が形成される。これにより、この横長の大きな区画１０においては、キルト線によって敷布団や使用者の首回りとの間に隙間が形成されるのを防ぎ、保温性を高めている。
また、円弧状の横長キルト線３４、斜め方向キルト線３６で仕切られた複数の区画により、裏地３２の区画Ｓ４とその両側の区画Ｓ１〜Ｓ３、Ｓ５〜Ｓ７を覆うことで敷き布団側に押さえつけるため、肩口部３０が使用者の肩部の形状に沿って倣いやすく、この点においても掛け布団の使用者に対するフィット性を高めることができる。
さらに、横長の大きな区画Ｓ１０は、その内部に充填された羽毛等の充填物が平らになりやすく、掛け布団１０の肩口部３０が、使用者の顎の下に入り込み、表地３１側の層が使用者の首に沿いやすい形状となる。
【００２２】
このようにして、掛け布団１０の肩口部３０における保温性を高めることができる。
なお、横長キルト線３４、縦方向キルト線３５、斜め方向キルト線３６、縦方向キルト線３８は、表地３１と中間地３３、裏地３２と中間地３３を直接縫合して形成することもできるが、表地３１と中間地３３との間、裏地３２と中間地３３との間に、掛け布団１０の厚さ方向に位置する布地を挟み込んで縫合した、立体キルトによって形成することもできる。
【００２３】
なお、本発明の掛け布団は、図面を参照して説明した上述の各実施形態に限定されるものではなく、その技術的範囲において様々な変形例が考えられる。
例えば、本体部２０の構成は、上記に限るものではなく、適宜変更することが可能であり、例えば本体部２０も表裏２層構造とすることもできる。
これ以外にも、本発明の主旨を逸脱しない限り、上記実施の形態で挙げた構成を取捨選択したり、他の構成に適宜変更することが可能である。
【符号の説明】
【００２４】
１０ 掛け布団
２０ 本体部
２１ 表地
２２ 裏地
２３ 本体中央部キルト線
２３ａ 端部
２３ｂ 幅方向中央部
２４ 本体両側部キルト線
２５ 足元両角部キルト線
２６ 足元部
３０ 肩口部
３０ａ   上辺
３０ｂ   側辺
３１ 表地
３２ 裏地
３３ 中間地
３４ 横長キルト線
３４ａ 両端部
３４ｂ 幅方向中央部
３５ 縦方向キルト線
３６ 斜め方向キルト線
３８ 縦方向キルト線
【図１】
0005701167.tif 000002
【図２】
0005701167.tif 000003
【図３】
0005701167.tif 000004
【図４】
0005701167.tif 000005